(57)【特許請求の範囲】
【請求項１】
異なる極性に帯電し、互いに色彩が異なる第１粒子および第２粒子を分散させた分散媒が内部空間に充填されたカプセルと、
前記カプセルを回転可能に収容する収容部と、
前記収容部を介して対向配置された第１電極および第２電極と、
前記カプセルを回転させる回転手段とを有し、
前記カプセルは、その壁部を介して内部を視認可能な透視部を有していることを特徴とする電気泳動表示シート。
【請求項２】
前記回転手段により前記カプセルを回転させて該カプセルの姿勢を決定するとともに、前記第１電極と前記第２電極との間に電圧を印加して前記第１粒子および前記第２粒子を前記分散媒中で泳動させることにより、前記第１電極を介して視認する前記収容部内の色を変更するよう構成されている請求項１に記載の電気泳動表示シート。
【請求項３】
前記収容部には、前記カプセルとともに液体が充填されており、前記カプセルが浮遊している請求項１または２に記載の電気泳動表示シート。
【請求項４】
前記カプセルは、略球状をなしている請求項１ないし３のいずれかに記載の電気泳動表示シート。
【請求項５】
前記透視部は、実質的に無色透明である請求項１ないし４のいずれかに記載の電気泳動表示シート。
【請求項６】
前記カプセルは、前記透視部と異なる部分に、着色された着色部を有している請求項１ないし５のいずれかに記載の電気泳動表示シート。
【請求項７】
前記カプセルは、前記透視部と前記着色部との間に、それらの中間色をなす中間色部を有している請求項６に記載の電気泳動表示シート。
【請求項８】
前記カプセルは、正に帯電した正帯電領域および負に帯電した負帯電領域を有し、
前記回転手段は、前記カプセルに電界または磁界を作用させて、前記カプセルを回転させるよう構成されている請求項６または７に記載の電気泳動表示シート。
【請求項９】
前記正帯電領域および前記負帯電領域のうちの一方が前記透視部に位置し、他方が前記着色部に位置する請求項８に記載の電気泳動表示シート。
【請求項１０】
前記回転手段は、前記収容部を介して対向配置された一対のカプセル回転用電極片を有し、前記一対のカプセル回転用電極片間に電圧を印加することにより前記カプセルを回転させる請求項８または９に記載の電気泳動表示シート。
【請求項１１】
前記第１電極および前記第２電極は、前記一対のカプセル回転用電極片を兼ねている請求項１０に記載の電気泳動表示シート。
【請求項１２】
前記第１電極と前記第２電極との間に印加する電圧パターンを設定することにより、前記カプセルを回転させて該カプセルの姿勢を決定するとともに、前記第１粒子および前記第２粒子を前記分散媒中で泳動させて、前記第１電極を介して視認する前記収容部内の色を変更するよう構成されている請求項１１に記載の電気泳動表示シート。
【請求項１３】
前記カプセルの前記着色部が前記第１電極側に位置する第１の状態と、前記カプセルの前記透視部が前記第１電極側に位置するとともに、前記第１粒子が前記カプセル内で前記第１電極側に偏在する第２の状態と、前記カプセルの前記透視部が前記第１電極側に位置するとともに、前記第２粒子が前記カプセル内で前記第１電極側に偏在する第３の状態とのうちからいずれかを選択可能となっている請求項１２に記載の電気泳動表示シート。
【請求項１４】
前記カプセルを回転させるための電圧は、前記第１粒子および前記第２粒子を泳動させるための電圧よりも大きい請求項１２または１３に記載の電気泳動表示シート。
【請求項１５】
請求項１ないし１４のいずれかに記載の電気泳動表示シートと、前記収容部の前記第２電極側に設けられた基板とを備えることを特徴とする電気泳動表示装置。
【請求項１６】
請求項１５に記載の電気泳動表示装置を備えることを特徴とする電子機器。
【発明の詳細な説明】
【技術分野】
【０００１】
本発明は、電気泳動表示シート、電気泳動表示装置および電子機器に関するものである。
【背景技術】
【０００２】
例えば、電子ペーパーの画像表示部を構成するものとして、粒子の電気泳動を利用した電気泳動ディスプレイが知られている（例えば、特許文献１参照）。電気泳動ディスプレイは、優れた可搬性および省電力性を有していて、電子ペーパーの画像表示部として、特に適している。
特許文献１には、電気泳動ディスプレイの画素を構成する電気泳動表示装置が開示されている。この電気泳動表示装置は、セルを備えていて、このセル内には、透明絶縁性液体、正に帯電した白色の電気泳動粒子（以下、単に「白色粒子」という）および負に帯電した黒色の電気泳動粒子（以下、単に「黒色粒子」という）が封入されている。また、セルの一方の側には透明電極が設置され、他方の側には着色板が設置されている。さらに、着色板上には、第１電極および第２電極が設けられている（特許文献１の図３参照）。
【０００３】
このような電気泳動表示装置は、透明電極と、第１および第２電極との間に電圧を印加したり、第１電極と第２電極との間に電圧を印加したりすることにより、白色粒子と黒色粒子とをそれぞれ透明絶縁性液体中で泳動させ、これにより、白色粒子と黒色粒子とを所望の部位に偏在させることによって、所望の色を表示する。
ここで、特許文献１の電気泳動表示装置では、第１電極と第２電極とに電圧を印加した場合には、例えば、第１電極付近に黒色粒子が偏在し、第２電極付近に白色粒子が偏在する。
【０００４】
このとき、透明電極を介してセル内を視認すると、白色粒子の集合体および黒色粒子の集合体の総面積よりも着色板の面積の方が大きいため、着色板の色が支配的に見えるこことなる。しかし、透明電極と着色板との間には、白色粒子と黒色粒子とが偏在しているため、白色粒子と黒色粒子とが影響して、着色板の色純度が低下し、着色板本来の色を表示することが困難となる。
【０００５】
【特許文献１】特開２００５−３１３４５号公報
【発明の開示】
【発明が解決しようとする課題】
【０００６】
本発明の目的は、優れた色表示性を発揮することのできる電気泳動表示シート、電気泳動表示装置および電子機器を提供することにある。
【課題を解決するための手段】
【０００７】
このような目的は、下記の本発明により達成される。
本発明の電気泳動表示シートは、異なる極性に帯電し、互いに色彩が異なる第１粒子および第２粒子を分散させた分散媒が内部空間に充填されたカプセルと、
前記カプセルを回転可能に収容する収容部と、
前記収容部を介して対向配置された第１電極および第２電極と、
前記カプセルを回転させる回転手段とを有し、
前記カプセルは、その壁部を介して内部を視認可能な透視部を有していることを特徴とする。
これにより、優れた色表示性を発揮することのできる電気泳動表示シートを提供することができる。
【０００８】
本発明の電気泳動表示シートでは、前記回転手段により前記カプセルを回転させて該カプセルの姿勢を決定するとともに、前記第１電極と前記第２電極との間に電圧を印加して前記第１粒子および前記第２粒子を前記分散媒中で泳動させることにより、前記第１電極を介して視認する前記収容部内の色を変更するよう構成されていることが好ましい。
これにより、カプセルの壁部の色や、第１粒子の色や、第２粒子の色を表示することができ、優れた色表示性を発揮することができる。
【０００９】
本発明の電気泳動表示シートでは、前記収容部には、前記カプセルとともに液体が充填されており、前記カプセルが浮遊していることが好ましい。
これにより、カプセルを収容部内で容易に回転させることができる。
本発明の電気泳動表示シートでは、前記カプセルは、略球状をなしていることが好ましい。
これにより、カプセルを収容部内で円滑に回転させることができる。
【００１０】
本発明の電気泳動表示シートでは、前記透視部は、実質的に無色透明であることが好ましい。
これにより、より鮮明に、第１粒子および第２粒子の色彩を鮮明に表示色として表示することができる。
本発明の電気泳動表示シートでは、前記カプセルは、前記透視部と異なる部分に、着色された着色部を有していることが好ましい。
これにより、第１粒子および第２粒子の色彩に加え、着色部の色彩を表示色として表示できるため、表示特性が向上する。
【００１１】
本発明の電気泳動表示シートでは、前記カプセルは、前記透視部と前記着色部との間に、それらの中間色をなす中間色部を有していることが好ましい。
これにより、着色部の色彩の階調表現が可能となり、電気泳動表示装置の表示特性がより向上する。
本発明の電気泳動表示シートでは、前記カプセルは、正に帯電した正帯電領域および負に帯電した負帯電領域を有し、
前記回転手段は、前記カプセルに電界または磁界を作用させて、前記カプセルを回転させるよう構成されていることが好ましい。
これにより、カプセルに電界を作用させることにより、カプセルを回転させることができ、簡単かつ確実にカプセルの姿勢を決定することができる。
【００１２】
本発明の電気泳動表示シートでは、前記正帯電領域および前記負帯電領域のうちの一方が前記透視部に位置し、他方が前記着色部に位置することが好ましい。
これにより、簡単かつ確実に、着色部が第１電極側に位置する状態（姿勢）と、透視部が第１電極側に位置する状態（姿勢）とをとることができる。その結果、電気泳動表示装置の作動が容易となる。
【００１３】
本発明の電気泳動表示シートでは、前記回転手段は、前記収容部を介して対向配置された一対のカプセル回転用電極片を有し、前記一対のカプセル回転用電極片間に電圧を印加することにより前記カプセルを回転させることが好ましい。
これにより、比較的簡単な構成でカプセルを回転させ、カプセルの姿勢を決定することができる。
【００１４】
本発明の電気泳動表示シートでは、前記第１電極および前記第２電極は、前記一対のカプセル回転用電極片を兼ねていることが好ましい。
これにより、装置の小型化を図るとともに、低コスト化および製造の容易化を図ることができる。
本発明の電気泳動表示シートでは、前記第１電極と前記第２電極との間に印加する電圧パターンを設定することにより、前記カプセルを回転させて該カプセルの姿勢を決定するとともに、前記第１粒子および前記第２粒子を前記分散媒中で泳動させて、前記第１電極を介して視認する前記収容部内の色を変更するよう構成されていることが好ましい。
これにより、比較的簡単な構成とするとともに、カプセルの壁部の色や、第１粒子の色や、第２粒子の色を表示することができ、優れた色表示性を発揮することができる。
【００１５】
本発明の電気泳動表示シートでは、前記カプセルの前記着色部が前記第１電極側に位置する第１の状態と、前記カプセルの前記透視部が前記第１電極側に位置するとともに、前記第１粒子が前記カプセル内で前記第１電極側に偏在する第２の状態と、前記カプセルの前記透視部が前記第１電極側に位置するとともに、前記第２粒子が前記カプセル内で前記第１電極側に偏在する第３の状態とのうちからいずれかを選択可能となっていることが好ましい。
これにより、比較的簡単な構成とするとともに、カプセルの壁部の色や、第１粒子の色や、第２粒子の色を表示することができ、優れた色表示性を発揮することができる。
【００１６】
本発明の電気泳動表示シートでは、前記カプセルを回転させるための電圧は、前記第１粒子および前記第２粒子を泳動させるための電圧よりも大きいことが好ましい。
これにより、カプセルを回転させる作動と、カプセルを回転させずに第１粒子および第２粒子を泳動させる作動とからいずれかを容易に選択することができるため、操作性および表示特性が向上する。
【００１７】
本発明の電気泳動表示装置は、本発明の電気泳動表示シートと、前記収容部の前記第２電極側に設けられた基板とを備えることを特徴とする。
これにより、優れた色表示性を発揮することのできる電気泳動表示装置を提供することができる。
本発明の電子機器は、本発明の電気泳動表示装置を備えることを特徴とする。
これにより、優れた色表示性を発揮することのできる電子機器を提供することができる。
【発明を実施するための最良の形態】
【００１８】
以下、本発明の電気泳動表示シート、電気泳動表示装置および電子機器を添付図面に示す好適実施形態に基づいて詳細に説明する。
＜電気泳動表示装置＞
≪第１実施形態≫
まず、本発明の電気泳動表示シートを適用した電気泳動表示装置（本発明の電気泳動表示装置）の第１実施形態について説明する。
【００１９】
図１は、本発明の電気泳動表示装置の第１実施形態を示す模式的縦断面図、図２は、図１に示す電気泳動表示装置の駆動波形の一例を示す図、図３〜図７は、それぞれ、図１に示す電気泳動表示装置の作動を示す模式的縦断面図である。なお、以下では、説明の便宜上、図１、図３〜図７の上側を「上」、下側を「下」と言う。
図１に示す電気泳動表示装置１は、回路基板（バックプレーン）９と、回路基板９の上面に接合された電気泳動表示シート２とで構成されている。
回路基板９は、平板状の基部９１と、基部９１に設けられた例えばＴＦＴ等のスイッチング素子を含む回路（図示せず）とを有している。
【００２０】
一方、電気泳動表示シート２は、複数のセル（収容部）３１を有する基体３と、基体３の上面に設けられた複数の上部電極（第１電極）４１と、基体３の下面に設けられた複数の下部電極（第２電極）４２と、セル３１内に誘電性液体５とともに収容されたカプセル６とを有している。また、カプセル６の内部空間６１には、色彩が異なる第１粒子Ａおよび第２粒子Ｂを分散させた分散媒７が充填されている。
【００２１】
このような電気泳動表示装置１は、上部電極４１と下部電極４２との間に印加する電圧パターンを設定することにより、カプセル６を回転させてカプセル６の姿勢を決定するとともに、カプセル６内で第１粒子Ａおよび第２粒子Ｂを泳動させることにより、上部電極４１を介して視認されるセル３１内の色を変更するよう構成されている。なお、以下では、説明の便宜上、上部電極４１を介して視認するセル３１内の色を「表示色」と言う。
また、電気泳動表示装置１は、各セル３１に対応する部位がそれぞれ一画素を構成しているものであり、これら複数の画素は、互いに同様の構成であるため、以下では、説明の便宜上、１つの画素（以下「画素Ｐ」と言う）について代表して説明し、その他の画素については、その説明を省略する。
【００２２】
基体３は、実質的に無色透明であり、基体３の外部からセル３１内を視認可能となっている。このような基体３の構成材料としては、例えば、エポキシ系樹脂、アクリル系樹脂、ウレタン系樹脂、メラミン系樹脂、フェノール系樹脂等の各種樹脂材料や、ポリエチレン、ポリプロピレン、エチレン−酢酸ビニル共重合体等のポリオレフィン、変性ポリオレフィン、ポリアミド（例：ナイロン６、ナイロン６６）、スチレン系、ポリ塩化ビニル系、ポリウレタン系、ポリエステル系、フッ素ゴム系、塩素化ポリエチレン系等の各種熱可塑性エラストマー等、またはこれらを主とする共重合体、ブレンド体、ポリマーアロイ等が挙げられ、これらのうちの１種または２種以上を混合して用いることができる。
【００２３】
なお、基体３としては、基体３の外部からセル３１内を視認することができれば、無色透明でなくてもよく着色されていてもよい。
基体３の厚さ（すなわち、上部電極４１と下部電極４２の離間距離）は、特に限定されないが、１０〜５００μｍ程度であるのが好ましく、２０〜１００μｍ程度であるのがより好ましい。
【００２４】
このような基体３が有するセル３１は、略球状をなしている。なお、セル３１の形状としては、カプセル６を回転可能に収容することができれば特に限定されず、例えば、円筒状、直方体状をなしていてもよい。
セル３１に充填された誘電性液体５としては、例えば、ベンゼン、トルエン等の芳香族炭化水素類、シクロヘキサン等の脂環族炭化水素類、アイソパーＧ、アイソパーＬなどのイソパラフィン、ジメチルシリコーンオイル、メチルフェニルシリコーンオイル、メチルハイドロジェンシリコーンオイル等のシリコーンオイル類などが挙げられ、これらを単独または混合物として用いることができる。
【００２５】
セル３１には、このような誘電性液体５とともにカプセル６が収容されている。これにより、カプセル６は、セル３１内で誘電性液体５中に浮遊することとなり、セル３１内で回転可能となる。このような構成とすることにより、上部電極４１と下部電極４２との間に所望の電圧を印加することにより、カプセル６をセル３１内で容易に回転させることができる。
【００２６】
カプセル６は、略球状をなしている。これにより、カプセル６をセル３１内で円滑に回転させることができる。
このようなカプセル６は、内部空間６１を画成する略球状のシェル（壁部）６２を有している。このシェル６２には、当該シェル６２を介して内部（内部空間６１）を視認できる実質的に無色透明な透視部６２２と、着色された着色部６２１と、透視部６２２と着色部６２１との間に位置しそれらの中間色をなす中間色部６２３とが形成されている。
【００２７】
本実施形態では、シェル６２を２つの半球領域に区切ったとき、一方の半球領域に透視部６２２が形成され、他方の半球領域に着色部６２１および中間色部６２３が形成されている。
このように、シェル６２が透視部６２２を有することにより、カプセル６の外部から内部空間６１内の第１粒子Ａおよび第２粒子Ｂを視認することができる。これにより、第１粒子Ａおよび第２粒子の色彩を表示色として表示することが可能となる。特に、本実施形態では、透視部６２２が無色透明であるため、より鮮明に、第１粒子Ａおよび第２粒子Ｂの色彩を表示色として表示することができる。
【００２８】
また、シェル６２が着色部６２１を有することにより、当該着色部６２１の色彩を表示色として表示することができる。これにより、第１粒子Ａおよび第２粒子Ｂの色彩に加え、着色部６２１の色彩を表示色として表示できるため、色表示特性が向上する。
着色部６２１の色としては、白色、黒色、灰色などの無彩色や、赤色、青色、緑色などの有彩色のうちから任意に選択することができる。これらのうちでも、着色部６２１の色としては、有彩色であることが好ましい。これにより、後述するように、電気泳動表示装置１は、カラー表示を行うことができる。
【００２９】
また、シェル６２が中間色部６２３を有することにより、着色部６２１と透視部６２２との中間色を表示色として表示することができる。すなわち、着色部６２１の色彩の階調表現が可能となり、電気泳動表示装置１の色表示特性がより向上する。
特に、本実施形態の中間色部６２１は、着色部６２１側から透視部６２２側に向けて、着色部６２１の色彩から透明へと連続的に変化するグラデーションを有しているため、着色部６２１の色彩の階調をより多階調とすることができる。
【００３０】
また、シェル６２は、互いに反対の極性に帯電した正帯電領域および負帯電領域を有している。これにより、上部電極４１と下部電極４２の間に所望の電圧を印加し、カプセル６に電界を作用させることにより、カプセル６を回転させることができ、簡単かつ確実にカプセル６の姿勢を決定することができる。
本実施形態では、着色部６２１が負帯電領域であり、透視部６２２が正帯電領域となっている。このように、正帯電領域および負帯電領域のうちの一方を透視部６２２に位置させ、他方を着色部６２１に位置させることにより、後述するように、簡単かつ確実に、着色部６２１が上部電極４２側に位置する状態と、透視部６２２が上部電極４１側に位置する状態とをとることができる。これにより、電気泳動表示装置の作動が容易となる。
【００３１】
このようなシェル６２の構成材料としては、例えば、ゼラチン、ゼラチン−アラビアゴム、ゼラチン−ゲランゴム、ポリスチレン、ポリメチルメタクリレート、ポリエステル、ポリフェニルエステル、ポリウレタン、ナイロン６、ナイロン６６、ポリ尿素などの樹脂材料が挙げられ、これらのうちの１種または２種以上を組み合わせて用いることができる。
【００３２】
このようなシェル６２の形成方法としては、コアセルベーション法、コンプレックスコアセルベーション法、界面重合法、スプレードライ法、各種の公知の方法を用いることができる。
また、正に帯電した着色部６２１の形成方法としては、例えば、（ｉ）カーボンブラック、銅フタロシアニン、チタニルフタロシアニン、アムミニウム、タングステンなどを真空蒸着する方法、（ii）顔料もしくは染料を分散させた樹脂を溶媒に分散または溶解し、スプレーコート、ディップコート、あるいはドクターブレードにより塗布する方法、（iii）油溶性の分散染料を含む溶媒中にカプセル６を浸け込み、染料をシェル６２に含浸させる方法などが挙げられる。なお、中間色部６２３の形成方法は、着色部６２１の形成方法と同様であるため、その説明を省略する。
【００３３】
例えば、上記（ii）の場合には、顔料としては、カーボンブラック、マグネタイトなどの黒色顔料、溶性アゾ系、モノアゾ系、ジスアゾ系などのアゾ顔料、フタロシアニン系、キナクリドン系などの多環式顔料、二酸化チタン、二酸化珪素、アルミナ、炭酸カルシウムなどの白色顔料、が挙げられる。また、染料としては、油溶性染料、反応性染料、分散染料、直接染料、酸性染料、塩基性染料などが挙げられる。これらの顔料もしくは染料を混合して用いてもよい。
【００３４】
顔料もしくは染料を分散させる樹脂としては、アクリル樹脂、アルキド樹脂など、市販の着色スプレー等に用いられている公知の樹脂が挙げられる。顔料もしくは染料を分散させた樹脂を、トルエン、酢酸ブチル、酢酸エチルなどの有機系溶媒に溶解し、カプセル６表面に塗布することで、着色部６２１を形成することができる。
さらに、カプセル６をより一層帯電させるために、荷電制御剤を顔料、染料とともに樹脂中に混合してもよい。荷電制御剤の具体例としては、サリチル酸系化合物、ホウ素系化合物などの負帯電制御剤が挙げられる。
【００３５】
一方、負に帯電した透視部６２２の形成方法としては、着色部６２１の形成方法で挙げた（ii）を、顔料、染料を使用しないで行う方法が挙げられる。
具体的には、例えば、アクリル樹脂、アルキド樹脂などにニグロシン染料、トリフェニルメタン染料、四級アンモニウム塩類などの正帯電制御剤を混合し、この樹脂をトルエン、酢酸ブチル、酢酸エチルなどの有機系溶媒に溶解し、カプセル６表面に塗布することで、透視部６２２を形成することができる。
以上、カプセル６について説明したが、このようなカプセル６の粒径としては、解像度、隠蔽率などの観点から、１０μｍ〜２００μｍであることが好ましい。
【００３６】
次に、カプセル６の内部空間６１に充填された分散媒７について説明する。
分散媒７は、実質的に無色透明であることが好ましい。このような分散媒７としては、比較的高い絶縁性を有するものが好適に使用される。かかる分散媒７としては、例えば、各種水（蒸留水、純水、イオン交換水等）、メタノール、エタノール、ブタノール等のアルコール類、メチルセロソルブ等のセロソルブ類、酢酸メチル、酢酸エチル等のエステル類、アセトン、メチルエチルケトン等のケトン類、ペンタン等の脂肪族炭化水素類、シクロへキサン等の脂環式炭化水素類、ベンゼン、トルエンのような長鎖アルキル基を有するベンゼン類等の芳香族炭化水素類、塩化メチレン、クロロホルム等のハロゲン化炭化水素類、ピリジン、ピラジン等の芳香族複素環類、アセトニトリル、プロピオニトリル等のニトリル類、Ｎ，Ｎ−ジメチルホルムアミド等のアミド類、カルボン酸塩、流動パラフィン等の鉱物油類、リノール酸、リノレン酸、オレイン酸等の植物油類、ジメチルシリコーンオイル、メチルフェニルシリコーンオイル、メチルハイドロジェンシリコーンオイル等のシリコーンオイル類、ハイドロフルオロエーテル等のフッ素系液体またはその他の各種油類等が挙げられ、またはその他の各種油類等が挙げられ、これらを単独または混合物として用いることができる。
【００３７】
また、分散媒７中には、必要に応じて、例えば、電解質、界面活性剤、金属石鹸、樹脂材料、ゴム材料、油類、ワニス、コンパウンド等の粒子からなる荷電制御剤、チタン系カップリング剤、アルミニウム系カップリング剤、シラン系カップリング剤等の分散剤、潤滑剤、安定化剤等の各種添加剤を添加するようにしてもよい。
このような分散媒７中には、前述したように、第１粒子Ａおよび第２粒子Ｂが分散している。なお、以下では、説明の便宜上、第１粒子Ａおよび第２粒子Ｂを合わせて、単に「電気泳動粒子」とも言う。
【００３８】
第１粒子Ａおよび第２粒子Ｂは、互いに反対の極性に帯電した粒子であり、本実施形態では、第１粒子Ａが負に帯電しており、第２粒子Ｂが正に帯電している。言うまでもないが、この逆であってもよい。
また、第１粒子Ａおよび第２粒子Ｂは、互いに色が異なっている。第１粒子Ａおよび第２粒子Ｂの色（色彩）としては、特に限定されず、白色、黒色、灰色などの無彩色や、赤色、青色、緑色などの有彩色のうちから、２色を任意に選択することができる。本実施形態では、第１粒子Ａが黒色の粒子であり、第２粒子Ｂが白色の粒子である。
【００３９】
このような第１粒子Ａおよび第２粒子Ｂとしては、それぞれ、前述したような条件を満たすものであれば、いかなるものをも用いることができ、特に限定はされないが、顔料粒子、樹脂粒子、セラミックス粒子、金属粒子、金属酸化物粒子またはこれらの複合粒子のうちの少なくとも１種が好適に使用される。これらの粒子は、製造が容易であるとともに、荷電の制御を比較的容易に行うことができるという利点を有している。
【００４０】
顔料粒子を構成する顔料としては、例えば、アニリンブラック、カーボンブラック、チタンブラック等の黒色顔料、二酸化チタン、三酸化アンチモン、硫化亜鉛、亜鉛華等の白色顔料、モノアゾ、ジスアゾ、ポリアゾ等のアゾ系顔料、イソインドリノン、黄鉛、黄色酸化鉄、カドミウム赤、チタン赤等の黄色顔料、モノアゾ、ジスアゾ、ポリアゾ等のアゾ系顔料、キナクリドンレッド、クロムバーミリオン等の赤色顔料、フタロシアニンブルー、インダスレンブルー、紺青、群青、コバルトブルー等の青色顔料、フタロシアニングリーン等の緑色顔料等が挙げられ、これらのうちの１種または２種以上を組み合わせて用いることができる。
【００４１】
また、樹脂粒子を構成する樹脂材料としては、例えば、アクリル系樹脂、ウレタン系樹脂、尿素系樹脂、エポキシ系樹脂、ロジン樹脂、ポリスチレン、ポリエステル、スチレンとアクリロニトリルを共重合したＡＳ樹脂等が挙げられ、これらのうちの１種または２種以上を組み合わせて用いることができる。
また、複合粒子としては、例えば、顔料粒子の表面を樹脂材料で被覆したもの、樹脂粒子の表面を顔料で被覆したもの、顔料と樹脂材料とを適当な組成比で混合した混合物で構成される粒子等が挙げられる。
【００４２】
また、電気泳動粒子の分散媒７中での分散性を向上させることを目的に、各粒子Ａ、Ｂの表面に、分散媒７と相溶性の高い高分子を物理的に吸着させたり、化学的に結合させたりすることができる。これらの中でも、電気泳動粒子の表面からの離脱着の問題から、高分子が化学的に結合しているものが特に好ましい。かかる構成とすれば、電気泳動粒子の見かけの比重が小さくなる方向に作用して、電気泳動粒子の分散媒７での親和性、すなわち分散性を向上させることができる。
【００４３】
この場合、前記高分子の結合数は、１つの粒子において、３００〜２５００（個／μｍ２）程度であるのが好ましく、５００〜１６００（個／μｍ２）程度であるのがより好ましい。高分子の結合数を前記範囲内とすることにより、電気泳動粒子の分散媒７に対する親和性を高め、その分散性を向上させることができる。また、電気泳動粒子の表面の電荷が高分子に覆われてしまうことによるクーロン力の低下を防止することもできる。
【００４４】
このような高分子としては、例えば、電気泳動粒子と反応性を有する基と帯電性官能基を有する高分子、電気泳動粒子と反応性を有する基と長鎖アルキル鎖、長鎖エチレンオキシド鎖、長鎖フッ化アルキル鎖、長鎖ジメチルシリコーン鎖等を有する高分子、および、電気泳動粒子と反応性を有する基と帯電性官能基と長鎖アルキル鎖、長鎖エチレンオキシド鎖、長鎖フッ化アルキル鎖、長鎖ジメチルシリコーン鎖等を有する高分子等が挙げられる。
【００４５】
上述したような高分子において、電気泳動粒子と反応性を有する基（以下、反応性基と称する。）としては、例えば、エポキシ基、チオエポキシ基、アルコキシシラン基、シラノール基、アルキルアミド基、アジリジン基、オキサゾン基、およびイソシアネート基等が挙げられ、これらのうちの１種または２種以上を選択して用いることができるが、用いる電気泳動粒子の種類等に応じて、選択するようにすればよい。
【００４６】
また、電気泳動粒子の平均粒径は、特に限定されないが、０．１〜１０μｍ程度であるのが好ましく、０．１〜７．５μｍ程度であるのがより好ましい。電気泳動粒子の平均粒径が小さ過ぎると、主に可視光域において十分な隠蔽率を得ることができず、その結果、電気泳動表示装置１の表示コントラストが低下するおそれがあり、一方、電気泳動粒子の平均粒径が大き過ぎると、その種類等によっては、分散媒７中において沈降し易くなり、電気泳動表示装置１の表示品質が劣化すること等の問題が生じるおそれがある。
以上、第１粒子Ａおよび第２粒子Ｂについて説明したが、このような２つの粒子Ａ、Ｂの分散媒７への分散は、例えば、ペイントシェーカー法、ボールミル法、メディアミル法、超音波分散法、攪拌分散法等のうちの１種または２種以上を組み合わせて行うことができる。
【００４７】
次に、上部電極４１および下部電極４２について説明する。
上部電極４１と下部電極４２とは、セル３１を介して対向配置されている。このような上部電極４１および下部電極４２は、これらの間に電圧を印加することにより、第１粒子Ａおよび第２粒子Ｂを分散媒７中で泳動させるために設置されているものであるが、特に本実施形態では、上部電極４１および下部電極４２は、カプセル６を回転させる回転手段８を兼ねている。
【００４８】
上部電極４１は、薄膜状または板状をなしている。このような上部電極４１の平面視形状としては、特に限定されず、例えば、円形、四角形をなしていてもよい。
また、上部電極４１は、実質的に無色透明である。これにより、電気泳動表示装置１の外部から上部電極４１を介してセル３１内を視認することができる。なお、上部電極４１としては、電気泳動表示装置１の外部からセル３１内を視認することができれば、無色透明でなくてもよく、着色されていてもよい。
【００４９】
このような上部電極４１の構成材料としては、実質的に導電性を有するものであれば特に限定されず、例えば、銅、アルミニウムまたはこれらを含む合金等の金属材料、カーボンブラック等の炭素系材料、ポリアセチレン、ポリピロール、またはこれらの誘導体等の電子導電性高分子材料、ポリビニルアルコール、ポリカーボネート、ポリエチレンオキシド等のマトリックス樹脂中に、ＮａＣｌ、ＬｉＣｌＯ４、ＫＣｌ、ＬｉＢｒ、ＬｉＮＯ３、ＬｉＳＣＮ等のイオン性物質を分散させたイオン導電性高分子材料、インジウム錫酸化物（ＩＴＯ）、フッ素ドープした錫酸化物（ＦＴＯ）、錫酸化物（ＳｎＯ２）、インジウム酸化物（ＩＯ）等の導電性酸化物材料のような各種導電性材料が挙げられ、これらのうちの１種または２種以上を組み合わせて用いることができる。
【００５０】
下部電極４２は、例えば、上部電極４１と形状も大きさも同じものとなっている。また、下部電極４２は、不透明であってもよく、透明であってもよい。このような下部電極４２の構成材料としては、実質的に導電性を有するものであれば特に限定されず、前述した上部電極４１の構成材料と同様の材料を用いることができる。
下部電極４２は、回路基板９上に形成された前記回路に電気的に接続されている。電気泳動表示装置１は、当該回路に含まれるＴＦＴ（スイッチング素子）により、下部電極４２への電圧印加のＯＮ／ＯＦＦを制御するよう構成されている。
【００５１】
電気泳動表示装置１は、図示しない電圧印加手段により、上部電極４１および下部電極４２に対して、それぞれ独立して電圧を印加し得るよう構成されている。また、電気泳動表示装置１は、前記電圧印加手段により、各電極に印加する電圧の強さを適宜変更することもできる。
以上のような上部電極４１と下部電極４２との間に印加する電圧としては、大きく分けて２種類あり、それは、カプセル６を回転させるための電圧Ｖ１と、カプセルを回転させずに第１粒子Ａおよび第２粒子Ｂを泳動させるための電圧Ｖ２である。
【００５２】
ここで、本実施形態では、カプセル６を回転させるのに最低限必要な電圧の強さをＸ１（Ｖ）とし、第１粒子Ａおよび第２粒子Ｂを泳動させるのに最小限必要な電圧の強さをＸ２（Ｖ）としたとき、Ｘ１がＸ２より大きくなるように設定されている。これにより、電圧Ｖ１をＸ１以上とすることでカプセル６を回転させる作動を行うことができ、電圧Ｖ２をＸ２以上Ｘ１未満とすることでカプセル６を回転させずに第１粒子Ａおよび第２粒子Ｂを泳動させる作動を行うことができる。すなわち、上部電極４１と下部電極４２との間に印加する電圧パターンを設定することにより、カプセル６を回転させる作動と、カプセル６を回転させずに第１粒子Ａおよび第２粒子Ｂを泳動させる作動とからいずれかを容易に選択することができるため、操作性および表示特性が向上する。
Ｘ１をＸ２よりも大きくする簡単な方法として、誘電性液体５の粘度を調整することが挙げられる。例えば、誘電性液体５の粘度を高くすればカプセル６がセル３１中で回転しづらくなり、その分Ｘ１が大きくなる。このように誘電性液体５の粘度を調整してＸ１を決定することで、比較的簡単にＸ１をＸ２よりも大きくすることができる。
【００５３】
次に、図１〜図６に基づいて、電気泳動表示装置１の作動を説明する。なお、図１、図３〜図６は、説明の便宜上模式的に図示したもので、各粒子Ａ、Ｂの数、大きさなどは実際とは大きく異なるものであるのは言うまでもない。また、前述したように、第１粒子Ａは、負に帯電した黒色の粒子であり、第２粒子Ｂは、正に帯電した白色の粒子である。また、カプセル６の着色部６２１は、赤に着色されている。
【００５４】
＜１＞白色表示
初めに、白色表示状態（第３の状態）について説明する。
例えば、図１に示す状態で、図２（ａ）に示すように、上部電極４１に電圧Ｖ１１を印加するとともに、下部電極４２に電圧Ｖ１２を印加すると、上部電極４１が負、下部電極４２が正となる。このとき、上部電極４１と下部電極４２との間に印加された電圧は、カプセル６を回転させるのに十分な強さ（すなわち、Ｘ１（Ｖ）以上）を有しているため、カプセル６の透視部６２２が上部電極４１に、着色部６２１が下部電極４２に向かうようにカプセル６が回転し、図３のように透視部６２２が上部電極４１側に位置する姿勢（状態）となる。これにより、上部電極４１を介してカプセル６の内部空間６１を視認することができるようになる。
【００５５】
また、上部電極４１と下部電極４２との間に印加された電圧は、当然、第１粒子Ａおよび第２粒子Ｂを泳動させるのに十分な強さを持っているため、このとき、カプセル６内の第２粒子Ｂは、上部電極４１に電気的に吸着されるようにして分散媒７中を上部電極４１側へ向かって泳動し、反対に、第１粒子Ａは、下部電極４２に電気的に吸着されるようにして、分散媒７中を下部電極４２側へ向かって泳動する。したがって、図３に示すように、カプセル６中においては、第１粒子Ａが着色部６２１に偏在し、第２粒子Ｂが透視部６２２に偏在する。その結果、この状態では、表示色として白色が視認される。
【００５６】
＜２−１＞黒色表示
次いで、黒色表示状態（第２の状態）について説明する。
例えば、前述した白色表示状態で、図２（ｂ）に示すように、上部電極４１に電圧Ｖ２１を印加するとともに、下部電極４２に電圧Ｖ２２を印加すると、上部電極４１が正、下部電極４２が負となる。ここで、上部電極４１と下部電極４２との間に印加された電圧の強さは、第１粒子Ａおよび第２粒子を分散媒７中で泳動させるには十分な強さであるが、カプセル６を回転させには不十分な強さ（すなわち、Ｘ２以上Ｘ１未満）であるため、カプセル６の回転を防止しつつ、第１粒子Ａおよび第２粒子Ｂを分散媒７中で泳動させることができる。
【００５７】
具体的には、カプセル６は、白色表示状態から回転しないため、その透視部６２２が上部電極４１側に位置している。その状態にて、第２粒子Ｂは、下部電極４２に電気的に吸着されるようにして分散媒７中を下部電極４２側へ向かって泳動し、反対に、第１粒子Ａは、上部電極４１に電気的に吸着されるようにして、分散媒７中を上部電極４１側へ向かって泳動する。
したがって、図４に示すように、カプセル６中においては、第１粒子Ａが透視部６２２に対応する位置に偏在し、第２粒子Ｂが着色部６２１に対応する部位に偏在することとなる。その結果、この状態では、表示色として黒色が視認される。
【００５８】
＜２−２＞黒色表示
次いで、前述した＜２−１＞とは異なる黒色表示状態について説明する。
例えば、前述した白色表示状態で、図２（ｃ）に示すように、上部電極４１に電圧Ｖ１３を印加するとともに、下部電極４２に電圧Ｖ１４を印加すると、上部電極４１が正、下部電極４２が負となる。このとき、上部電極４１と下部電極４２との間に印加された電圧は、カプセル６を回転させるのに十分な強さ（すなわち、Ｘ１（Ｖ）以上）を有しているため、カプセル６の透視部６２２が下部電極４２に、着色部６２１が上部電極４１に向かうようにカプセル６が回転し、図５のように着色部６２１が上部電極４１側に位置する姿勢（状態）となる。
【００５９】
また、上部電極４１と下部電極４２との間に印加された電圧は、当然、第１粒子Ａおよび第２粒子Ｂを泳動させるのに十分な強さを持っているため、このとき、カプセル６内の第１粒子Ａは、上部電極４１に電気的に吸着されるようにして分散媒７中を上部電極４１側へ向かって泳動し、反対に、第２粒子Ｂは、下部電極４２に電気的に吸着されるようにして、分散媒７中を下部電極４２側へ向かって泳動する。したがって、図５に示すように、カプセル６中においては、第１粒子Ａが着色部６２１に偏在し、第２粒子Ｂが透視部６２２に偏在する。この状態では、着色部６２１に対応する部位に黒色の第１粒子Ａが偏在しているため、前述した＜２−１＞の黒色表示状態と比較して、より光を吸収することができ、沈んだ（深い）黒色を表示することができる。すなわち、コントラストにより優れる白黒表示を行うことができる。
【００６０】
＜３＞赤色表示
次いで、赤表示状態（第１の状態）について説明する。
例えば、前述した＜２−２＞黒色表示状態で、図２（ｄ）に示すように、上部電極４１に電圧Ｖ２３を印加するとともに、下部電極４２に電圧Ｖ２４を印加すると、上部電極４１が負、下部電極４２が正となる。ここで、上部電極４１と下部電極４２との間に印加された電圧の強さは、第１粒子Ａおよび第２粒子を分散媒７中で泳動させるには十分な強さであるが、カプセル６を回転させには不十分な強さであるため、カプセル６の回転を防止しつつ、第１粒子Ａおよび第２粒子Ｂを分散媒７中で泳動させることができる。
【００６１】
具体的には、カプセル６は、＜２−２＞黒色表示状態から回転しないため、着色部６２１が上部電極４１側に位置している。その状態にて、第１粒子Ａは、下部電極４２に電気的に吸着されるようにして分散媒７中を下部電極４２側へ向かって泳動し、反対に、第２粒子Ｂは、上部電極４１に電気的に吸着されるようにして、分散媒７中を上部電極４１側へ向かって泳動する。
【００６２】
したがって、図６に示すように、カプセル６中においては、第１粒子Ａが透視部６２２に対応する位置に偏在し、第２粒子Ｂが着色部６２１に対応する部位に偏在することとなる。その結果、この状態では、表示色として赤色が視認される。なお、この状態では、着色部６２１に対応する部位に白色の第２粒子Ｂが偏在していることから、より鮮明な赤が表示されることとなる。
【００６３】
＜４＞中間色表示
次いで、中間色表示状態について説明する。
前述したように、例えば図１の状態から上部電極４１および下部電極４２に、図２（ｃ）に示す電圧を印加すると、カプセル６は、着色部６２１が上部電極４１側に向かうように回転する。カプセル６が回転を始め、中間色部６２３が上部電極４１側に位置する状態となったときに前記電圧の印加を停止すれば、カプセル６は、図７に示す姿勢（状態）を維持することとなる。なお、この状態では、第１粒子Ａが上部電極４１側に偏在し、第２粒子Ｂが下部電極４２側に偏在することとなる（図示せず）。
【００６４】
次いで、上部電極４１および下部電極４２に、図２（ｄ）に示す電圧を印加すると、カプセル６の回転を防止しつつ、第１粒子Ａを下部電極４２側へ、第２粒子Ｂを上部電極４１側へ、それぞれ泳動させることができる。その結果、図７に示すように、白色の第２粒子Ｂが第１電極４１側に偏在することとなる。そのため、この状態では、上部電極４１から入射した光の一部が中間色部６２３を通過し、第２粒子Ｂにより拡散されることにより、表示色として赤色と白色の中間色（例えば、桃色、朱色など）が視認される。すなわち、中間色部６２３を有することにより、赤色の階調表現が可能となり、表現が豊かになる。
特に、本実施形態では、中間色部６２３は、グラデーションを有しているため、前記効果がより顕著となる。
【００６５】
以上、電気泳動表装置１の作動について、詳細に説明した。
上述したように、電気泳動表示装置１では、カプセル６を回転させることにより色の彩度を変更することができ、かつ、第１粒子Ａおよび第２粒子Ｂをそれぞれ泳動させることにより、色の明度を変更することができる。したがって、このような電気泳動表示装置１によれば、優れた色表示特特性を発揮することができる。
【００６６】
本実施形態では、第１粒子Ａを黒色の粒子とし、第２粒子Ｂを白色の粒子としたことにより、特に白黒表示の反応性を優れたものとすることができる。具体的には、黒色表示と白色表示の切り替えは、カプセル６の回転を伴わないため、黒色表示状態と白色表示状態との切り換えを素早く行うことができ、白黒表示の反応性が優れたものとなる。なお、このような効果は、第１粒子Ａを白色の粒子とし、第２粒子を黒色の粒子とした場合にも発揮される。
【００６７】
特に、本実施形態では、カプセル６の透視部６２２と白色の第２粒子Ｂとを同極（正）に帯電させているため、図２（ａ）に示すような電圧を印加することにより、簡単かつ迅速に白色表示を行うことができる。これにより、電気泳動表示装置１を作動する際、リセットの際などに行われる全白書き込み（全白色表示）を簡単かつ迅速に行うことができる。
【００６８】
また、本実施形態では、着色部６２１の色を有彩色としているため、前述のような白黒表示の反応性を優れたものとしつつ、カラー表示が可能となっている。
また、本実施系形態では、上部電極４１および下部電極４２が、カプセル６を回転させる回転手段を兼ねているため、装置の小型化を図るとともに、低コスト化および製造の容易化を図ることができる。
【００６９】
≪第２実施形態≫
次に、本発明の電気泳動表示装置の第２実施形態について説明する。
図８は、本発明の電気泳動表示装置の第２実施形態を示す模式的縦断面図である。
以下、第２実施形態の電気泳動表示装置について、前述した実施形態との相違点を中心に説明し、同様の事項については、その説明を省略する。
本発明の第２実施形態にかかる電気泳動表示装置は、カプセルを回転させる回転手段の構成が異なる以外は、第１実施形態の電気泳動表示装置と同様である。なお、前述した第１実施形態と同様の構成には、同一符号を付してある。
【００７０】
図８に示すように、本実施形態の回転手段８Ａは、セル３１を介して左右方向に対抗配置された一対の電極片８１Ａ、８２Ａを有している。つまり、本実施形態の電気泳動表示装置１では、セル３１に対して、上下方向に対抗配置された上部電極４１および下部電極４２と、左右方向に対抗配置された一対の電極片８１Ａ、８２Ａとが設けられている。このような一対の電極片８１Ａ、８２Ａ間には、図示しないカプセル回転用電圧印加手段により所定の電圧が印加させるようになっている。このような回転手段８Ａによれば、比較的簡単な構成で、カプセル６を回転させ、カプセル６の姿勢を決定することができる。
【００７１】
本実施形態では、電極片８１Ａ、８２Ａ間に、カプセル６を回転させるのに十分な強さの電圧を印加すれば、カプセル６を回転させることができ、上部電極４１と下部電極４２との間に、カプセル６を回転させずに、第１粒子Ａおよび第２粒子Ｂを泳動させることができる電圧を印加すれば、カプセル６を回転させずに、第１粒子Ａまたは第２粒子Ｂを上部電極４１側に偏在させることができる。
以上のような第２実施形態によっても、第１実施形態と同様の効果を発揮することができる。
【００７２】
≪第３実施形態≫
次に、本発明の電気泳動表示装置の第３実施形態について説明する。
図９は、本発明の電気泳動表示装置の第３実施形態を示す模式的縦断面図である。
以下、第３実施形態の電気泳動表示装置について、前述した実施形態との相違点を中心に説明し、同様の事項については、その説明を省略する。
本発明の第３実施形態にかかる電気泳動表示装置は、画素の構成が異なる以外は、第１実施形態の電気泳動表示装置と同様である。なお、前述した第１実施形態と同様の構成には、同一符号を付してある。
【００７３】
図９に示すように、画素Ｐは、並設された３つのセル３１ａ、３１ｂ、３１ｃを有している。
セル３１ａ、３１ｂ、３１ｃには、それぞれ、カプセル６ａ、６ｂ、６ｃが収容されている。カプセル６ａの着色部６２１の色はシアンであり、カプセル６ｂの着色部６２１の色はマゼンタであり、カプセル６ｃの着色部６２１の色は赤である。
【００７４】
つまり、画素Ｐは、表示色としてシアンを表示可能なセル３１ａと、マゼンタを表示可能なセル３１ｂと、赤を表示可能なセル３１ｃとで構成されている。このような画素Ｐによれば、３つのセル３１ａ、３１ｂ、３１ｃの表示色を任意に組み合わせることで、フルカラー表示が可能となる。
例えば、黒色を表示したい場合には、３つのセル３１ａ、３１ｂ、３１ｃを全て黒色表示状態とすればよいし、マゼンタを表示したい場合には、セル３１ｂをマゼンタ表示状態とし、セル３１ａ、３１ｃを白色表示状態とすればよいし、シアンとマゼンタの中間色を表示したい場合には、セル３１ａをシアン表示状態とし、セル３１ｂをマゼンタ表示状態とし、セル３１ｃを白色表示状態とすればよい。なお、セル３１ａ、３１ｂ、３１ｃの配列や、形状などは、特に限定されない。
【００７５】
また、本実施形態では、カプセル６ａの着色部６２１の色をシアンとし、カプセル６ｂの着色部６２１の色をマゼンタとし、カプセル６ｃの着色部６２１の色を赤としたものについて説明したが、これに限定されず、例えば、カプセル６ａの着色部６２１の色をレッド（Ｒ）とし、カプセル６ｂの着色部６２１の色をグリーン（Ｇ）とし、カプセル６ｃの着色部６２１の色をブルー（Ｂ）としてもよい。これによっても、本実施形態と同様に、フルカラー表示が可能となる。
以上のような第３実施形態によっても、第１実施形態と同様の効果を発揮することができる。
【００７６】
以上説明したような電気泳動表示装置１は、それぞれ、各種電子機器に組み込むことができる。電気泳動表示装置を備える本発明の電子機器としては、例えば、電子ペーパー、電子ブック、テレビ、ビューファインダ型、モニタ直視型のビデオテープレコーダ、カーナビゲーション装置、ページャ、電子手帳、電卓、電子新聞、ワードプロセッサ、パーソナルコンピュータ、ワークステーション、テレビ電話、ＰＯＳ端末、タッチパネルを備えた機器等を挙げることができる。
【００７７】
これらの電子機器のうちから、電子ペーパーを例に挙げ、具体的に説明する。
図１０は、本発明の電子機器を電子ペーパーに適用した場合の実施形態を示す斜視図である。
図１０に示す電子ペーパー６００は、紙と同様の質感および柔軟性を有するリライタブルシートで構成される本体６０１と、表示ユニット６０２とを備えている。
このような電子ペーパー６００では、表示ユニット６０２が、前述したような電気泳動表示装置１で構成されている。
【００７８】
次に、本発明の電子機器をディスプレイに適用した場合の実施形態について説明する。
図１１は、本発明の電子機器をディスプレイに適用した場合の実施形態を示す図である。このうち、図１２中（ａ）は断面図、（ｂ）は平面図である。
図１１に示すディスプレイ（表示装置）８００は、本体部８０１と、この本体部８０１に対して着脱自在に設けられた電子ペーパー６００とを備えている。なお、この電子ペーパー６００は、前述したような構成、すなわち、図１１に示す構成と同様のものである。
【００７９】
本体部８０１は、その側部（図１１中、右側）に電子ペーパー６００を挿入可能な挿入口８０５が形成され、また、内部に二組の搬送ローラ対８０２ａ、８０２ｂが設けられている。電子ペーパー６００を、挿入口８０５を介して本体部８０１内に挿入すると、電子ペーパー６００は、搬送ローラ対８０２ａ、８０２ｂにより挟持された状態で本体部８０１に設置される。
【００８０】
また、本体部８０１の表示面側（図１１（ｂ）中、紙面手前側）には、矩形状の孔部８０３が形成され、この孔部８０３には、透明ガラス板８０４が嵌め込まれている。これにより、本体部８０１の外部から、本体部８０１に設置された状態の電子ペーパー６００を視認することができる。すなわち、このディスプレイ８００では、本体部８０１に設置された状態の電子ペーパー６００を、透明ガラス板８０４において視認させることで表示面を構成している。
【００８１】
また、電子ペーパー６００の挿入方向先端部（図１１中、左側）には、端子部８０６が設けられており、本体部８０１の内部には、電子ペーパー６００を本体部８０１に設置した状態で端子部８０６が接続されるソケット８０７が設けられている。このソケット８０７には、コントローラー８０８と操作部８０９とが電気的に接続されている。
このようなディスプレイ８００では、電子ペーパー６００は、本体部８０１に着脱自在に設置されており、本体部８０１から取り外した状態で携帯して使用することもできる。
【００８２】
以上、図示の各実施形態に基づいて、本発明の電気泳動表示シート、電気泳動表示装置および電子機器を説明したが、本発明は、これらに限定されるものでない。例えば、本発明の電気泳動表示シート、電気泳動表示装置および電子機器では、各部の構成は、同様の機能を発揮する任意の構成のものに置換することができ、また、任意の構成を付加することもできる。
【００８３】
また、前述した実施形態では、球状のセルについて説明したが、これに限定されず、例えば、セルが立方体状をなしていてもよい。この場合には、基体が、一対の上部基板および下部基板とこれらの間に介在するシリコーンゴム等で構成されたスペーサ部材とで構成されていてもよい。
また、前述した実施形態では、電気泳動表示装置が複数の画素を有するものについて説明したが、画素の数は、特に限定されず、例えば１つであってもよい。
また、前述した第２実施形態では、回転手段として一対の電極片を有するものについて説明したが、これに限定されず、例えば一対の電極片に換えて、一対の電磁コイルを有していてもよい。
【図面の簡単な説明】
【００８４】
【図１】本発明の電気泳動表示装置の第１実施形態を示す模式的縦断面図である。
【図２】図１に示す電気泳動表示装置の駆動波形の一例を示す図である。
【図３】図１に示す電気泳動表示装置の作動を示す模式的縦断面図である。
【図４】図１に示す電気泳動表示装置の作動を示す模式的縦断面図である。
【図５】図１に示す電気泳動表示装置の作動を示す模式的縦断面図である。
【図６】図１に示す電気泳動表示装置の作動を示す模式的縦断面図である。
【図７】図１に示す電気泳動表示装置の作動を示す模式的縦断面図である。
【図８】本発明の電気泳動表示装置の第２実施形態を示す模式的縦断面図である。
【図９】本発明の電気泳動表示装置の第３実施形態を示す模式的縦断面図である。
【図１０】本発明の電子機器を電子ペーパーに適用した場合の実施形態を示す斜視図である。
【図１１】本発明の電子機器をディスプレイに適用した場合の実施形態を示す図である。
【符号の説明】
【００８５】
１……電気泳動表示装置  ２……電気泳動表示シート  ３……基体  ３１、３１ａ、３１ｂ、３１ｃ……セル（収容部）  ４１……上部電極（第１電極）  ４２……下部電極（第２電極）  ５……誘電性液体  ６、６ａ、６ｂ、６ｃ……カプセル  ６１……内部空間  ６２……シェル  ６２１……着色部  ６２２……透視部  ６２３……中間色部  ７……分散媒  ８、８Ａ……回転手段  ８１Ａ、８２Ａ……電極片  ９……回路基板  ９１……基部  ６００……電子ペーパー  ６０１……本体  ６０２……表示ユニット  ８００……ディスプレイ  ８０１……本体部  ８０２ａ、８０２ｂ……搬送ローラ対  ８０３……孔部  ８０４……透明ガラス板  ８０５……挿入口  ８０６……端子部  ８０７……ソケット  ８０８……コントローラー  ８０９……操作部  Ａ……第１粒子  Ｂ……第２粒子  Ｐ……画素
【図１】
0005169276.tif 000002
【図２】
0005169276.tif 000003
【図３】
0005169276.tif 000004
【図４】
0005169276.tif 000005
【図５】
0005169276.tif 000006
【図６】
0005169276.tif 000007
【図７】
0005169276.tif 000008
【図８】
0005169276.tif 000009
【図９】
0005169276.tif 000010
【図１０】
0005169276.tif 000011
【図１１】
0005169276.tif 000012